(57)【要約】【課題】  振動等の作用し易い環境で使用される場合でもフラットケーブルの抜け止めを図って確実に保持状態を維持し、フラットケーブルと端子との十分な接触力を確保する。【解決手段】  フラットケーブル１１は、複数の端子３と電気的に接続可能に絶縁被覆２２が除去されて複数の導体２１が露出した導体露出部２４が設けられた接続用端部２３を有する。ケーブルホルダ１２は、導体露出部２４が折り返されるように巻き付けられるケーブル巻付部２６と、回動自在に支持されて接続用端部２３を押圧して保持する仮保持部２７とを有する。嵌合用ハウジング１３は、接続用端部２３とともにケーブルホルダ１２が挿入された状態で被接続用ハウジング要素２と嵌合する。挟持部１４は、嵌合用ハウジング１３の挿入口３６内に配置され、仮保持部２７をケーブル巻付部２６に対して押し付けるとともに接続用端部２３をケーブル巻付部２６に両側から押し付けて挟持する。【選択図】        図１９
2007004987.tif 000002
【特許請求の範囲】
【請求項１】
複数の端子を支持する被接続用ハウジング要素に対して接続されて、フラットケーブルを前記複数の端子に電気的に接続する電気的接続装置であって、
前記複数の端子と接触して電気的に接続可能なように絶縁被覆が除去されて複数の導体が露出している導体露出部が設けられている接続用端部を一端側に有する前記フラットケーブルと、
前記導体露出部が折り返されるように巻き付けられるケーブル巻付部と、前記ケーブル巻付部に対して回動自在に支持されて前記接続用端部を押圧して保持する仮保持部と、を有するケーブルホルダと、
前記接続用端部を保持しているとともに前記導体露出部が巻き付けられている状態の前記ケーブルホルダが挿入される挿入口が形成されて、当該挿入口に当該ケーブルホルダが挿入されている状態で前記被接続用ハウジング要素と嵌合する嵌合用ハウジングと、
前記挿入口内に配置されるように前記嵌合用ハウジングに形成され、前記ケーブルホルダが当該挿入口に挿入されることで、前記仮保持部を前記ケーブル巻付部に対して押し付けるとともに折り返された状態の前記接続用端部を前記ケーブル巻付部に両側から押し付けるように挟持する挟持部と、
を備えていることを特徴とする電気的接続装置。
【請求項２】
前記フラットケーブルは、前記複数の導体と前記絶縁被覆とが一体となって押出し成形により形成された押出し型フラットケーブルであることを特徴とする請求項１に記載の電気的接続装置。
【請求項３】
前記フラットケーブルの前記接続用端部は、前記絶縁被覆が前記複数の導体の伸張方向に沿って引き抜かれるように剥がされることで前記導体露出部が形成されるとともに、引き抜かれるようにずらされた前記絶縁被覆が当該接続用端部において一部残されるように配置された絶縁被覆部を備えていることを特徴とする請求項２に記載の電気的接続装置。
【請求項４】
前記ケーブルホルダの前記仮保持部は、前記ケーブル巻付部に対して回動自在に支持されている側とは反対側の先端部分において、前記接続用端部を押圧したときに前記絶縁被覆部を屈曲させるように形成されている厚肉部が設けられていることを特徴とする請求項３に記載の電気的接続装置。
【請求項５】
前記ケーブルホルダの前記ケーブル巻付部には、前記仮保持部によって前記接続用端部が押圧された状態で前記絶縁被覆部と係止可能な段部が設けられていることを特徴とする請求項３または請求項４に記載の電気的接続装置。
【請求項６】
前記ケーブルホルダの前記ケーブル巻付部は、平行に配置されるように形成されている上面と下面とを備えていることを特徴とする請求項１乃至請求項５のいずれか１項に記載の電気的接続装置。
【請求項７】
前記ケーブルホルダの前記ケーブル巻付部には、前記導体露出部が巻き付けられた際に当該導体露出部にて露出しているとともに平行に配置されている前記複数の導体の間にそれぞれ位置するように設けられた複数のリブが形成されていることを特徴とする請求項１乃至請求項６のいずれか１項に記載の電気的接続装置。
【請求項８】
前記ケーブルホルダの前記ケーブル巻付部にはその幅方向の両側において立設されている側壁部が形成され、前記ケーブルホルダの前記仮保持部と前記側壁部とにはそのうちのいずれか一方に第１凸部がその他方に第１凹部が形成され、当該仮保持部が前記接続用端部を押圧した状態において前記第１凸部と前記第１凹部とが互いに係合し合うことを特徴とする請求項１乃至請求項７のいずれか１項に記載の電気的接続装置。
【請求項９】
前記嵌合用ハウジングには、前記被接続用ハウジング要素に挿入されたときに当該被接続用ハウジング要素と係止する突部が形成されている可撓性の第１弾性変形部が設けられ、
前記突部が前記被接続用ハウジング要素と係止した後に更に当該嵌合用ハウジングが当該被接続用ハウジング要素に挿入されることで、前記第１弾性変形部が変形して当該突部と当該被接続用ハウジング要素との係止が解除されて当該嵌合用ハウジングと当該被接続用ハウジング要素との嵌合が完了することを特徴とする請求項１乃至請求項８のいずれか１項に記載の電気的接続装置。
【請求項１０】
前記嵌合用ハウジングは、当該嵌合用ハウジングが前記被接続用ハウジング要素に嵌合されたときに、前記導体露出部と前記複数の端子とが接触している接触領域を覆うとともに当該接触領域へと至る迂回経路を形成するように、当該被接続用ハウジング要素内に形成されている内壁に沿う迂回経路形成部分を備えていることを特徴とする請求項１乃至請求項９のいずれか１項に記載の電気的接続装置。
【請求項１１】
前記被接続用ハウジング要素内の前記内壁は前記複数の端子の周囲を囲むように立設して形成されている被接続ハウジング側壁部であり、
前記迂回経路形成部分は、前記嵌合用ハウジングが前記被接続用ハウジング要素に嵌合されたときに前記被接続ハウジング側壁部の周囲を囲むように立設して形成されている嵌合ハウジング側壁部であることを特徴とする請求項１０に記載の電気的接続装置。
【請求項１２】
前記挟持部は、前記仮保持部を前記ケーブル巻付部に対して押し付ける上側挟持部分と、前記フラットケーブルが前記ケーブル巻付部に巻き付けられて引き出される側において当該ケーブル巻付部に沿って延びるように形成されている下側挟持部分と、を備え、当該上側挟持部分と当該下側挟持部分との間で折り返された状態の前記接続用端部を前記ケーブル巻付部に対して両側から押し付けるように挟持することを特徴とする請求項１乃至請求項１１のいずれか１項に記載の電気的接続装置。
【請求項１３】
前記上側挟持部分と前記仮保持部とは、前記ケーブルホルダが前記挿入口に挿入されることで互いに当接して付勢し合うテーパ状の面として形成されているテーパ部をそれぞれ備えていることを特徴とする請求項１２に記載の電気的接続装置。
【請求項１４】
前記上側挟持部分は、前記挿入口の開口側に向かって片持ち状に延びるように形成されている可撓性の第２弾性変形部として設けられていることを特徴とする請求項１２または請求項１３に記載の電気的接続装置。
【請求項１５】
前記下側挟持部分は、前記挿入口の開口側に向かって片持ち状に延びるように形成されている可撓性の第３弾性変形部として設けられていることを特徴とする請求項１２乃至請求項１４のいずれか１項に記載の電気的接続装置。
【請求項１６】
前記ケーブルホルダの側面と前記嵌合用ハウジングの前記挿入口とにはそのうちのいずれか一方に第２凸部がその他方に第２凹部が形成され、当該ケーブルホルダの当該挿入口への挿入が完了した位置において前記第２凸部と前記第２凹部とが互いに係合し合うことを特徴とする請求項１乃至請求項１５のいずれか１項に記載の電気的接続装置。
【発明の詳細な説明】
【技術分野】
【０００１】
本発明は、ＦＦＣ（Flexible Flat Cable）やＦＰＣ（Flexible Printed Cable）などと一般的に呼ばれており複数の導体を有するフラットケーブルを複数の端子に電気的に接続するために用いられる電気的接続装置に関する。
【背景技術】
【０００２】
従来、ＦＦＣやＦＰＣなどと一般的に呼ばれており複数の導体を有するフラットケーブルを複数の端子に電気的に接続するために用いられる電気的接続装置として、絶縁ハウジングに装着された複数の端子に対してこの絶縁ハウジング内に挿入されるフラットケーブルを加圧部材で押圧するコネクタが知られている（例えば、特許文献１参照）。この特許文献１に記載されたコネクタは、複数の端子として交互に並べられた仮保持型端子と非保持端子との２種類を備え、これらの２種類の端子と加圧部材とによってフラットケーブルを保持するようになっている。
【０００３】
【特許文献１】特開２０００−２１４７８号公報
【発明の開示】
【発明が解決しようとする課題】
【０００４】
しかしながら、特許文献１に記載のような従来の電気的接続装置では、２種類の端子と加圧部材との間で挟まれるようにしてフラットケーブルが保持されるものとなっている。このため、フラットケーブルを強固に保持して確実な抜け止めを図るという観点では十分なものとはいえず、振動や外力の作用し易い環境で使用される場合には、抜け易いなどフラットケーブルの保持状態を維持する上で問題を有している。
【０００５】
また、フラットケーブルの保持力を向上させる観点からは、例えば、フラットケーブルをホルダで保持するようにした上でこのホルダを複数の端子を支持する被接続用ハウジングに対して接続する構造にすることが考えられる。しかし、この場合、フラットケーブルにおける複数の導体と複数の端子との接触力を十分に確保する構造を実現することが難しく課題となる。
【０００６】
本発明は、上記実情に鑑みることにより、複数の導体を有するフラットケーブルを複数の端子に電気的に接続するために用いられる電気的接続装置に関し、振動や外力の作用し易い環境で使用される場合においてもフラットケーブルの抜け止めを図って確実に保持状態を維持することができ、フラットケーブルと端子との十分な接触力を確保することができる電気的接続装置を提供することを目的とする。
【課題を解決するための手段及び効果】
【０００７】
本発明の電気的接続装置は、複数の端子を支持する被接続用ハウジング要素に対して接続されて、フラットケーブルを前記複数の端子に電気的に接続する電気的接続装置に関する。
そして、本発明は、上記目的を達成するために以下のようないくつかの特徴を有している。即ち、本発明は、以下の特徴を単独で、若しくは、適宜組み合わせて備えている。
【０００８】
上記目的を達成するための本発明に係る電気的接続装置における第１の特徴は、前記複数の端子と接触して電気的に接続可能なように絶縁被覆が除去されて複数の導体が露出している導体露出部が設けられている接続用端部を一端側に有する前記フラットケーブルと、前記導体露出部が折り返されるように巻き付けられるケーブル巻付部と、前記ケーブル巻付部に対して回動自在に支持されて前記接続用端部を押圧して保持する仮保持部と、を有するケーブルホルダと、前記接続用端部を保持しているとともに前記導体露出部が巻きつけられている状態の前記ケーブルホルダが挿入される挿入口が形成されて、当該挿入口に当該ケーブルホルダが挿入されている状態で前記被接続用ハウジング要素と嵌合する嵌合用ハウジングと、前記挿入口内に配置されるように前記嵌合用ハウジングに形成され、前記ケーブルホルダが当該挿入口に挿入されることで、前記仮保持部を前記ケーブル巻付部に対して押し付けるとともに折り返された状態の前記接続用端部を前記ケーブル巻付部に両側から押し付けるように挟持する挟持部と、を備えていることである。
【０００９】
この構成によると、フラットケーブルの導体露出部がケーブルホルダのケーブル巻付部に巻き付けられて、更に仮保持部によって接続用端部が押圧して保持される。この状態でフラットケーブルとともにケーブルホルダが嵌合用ハウジングの挿入口に挿入され、挿入口内に形成された挟持部によって仮保持部がケーブル巻付部に押し付けられるとともに接続用端部もケーブル巻付部に両側から押し付けられるように挟持されることになる。そして、この電気的接続装置と被接続用ハウジング要素とが接続されて、フラットケーブルと複数の端子との電気的な接続が完成することになる。したがって、この電気的接続装置によると、ケーブルホルダが嵌合用ハウジングに挿入されることで、ケーブル巻付部に巻き付けられて仮保持部で押圧されたフラットケーブルが、挟持部によって強固に保持されることになる。そして、導体露出部はケーブル巻付部に対して折り返されるように巻き付けられているため、露出した両面の導体露出部を複数の端子によってケーブル巻付部に向かって挟み込むようにして、各導体と各端子とを高い接触力で接触させることができる。したがって、振動や外力の作用し易い環境で使用される場合においてもフラットケーブルの抜け止めを図って確実に保持状態を維持することができ、フラットケーブルと端子との十分な接触力を確保することができる。
【００１０】
本発明に係る電気的接続装置における第２の特徴は、前記フラットケーブルは、前記複数の導体と前記絶縁被覆とが一体となって押出し成形により形成された押出し型フラットケーブルであることである。
【００１１】
この構成によると、押出し型フラットケーブルを用いることで、ラミネートタイプの場合のように層状に積層されて形成されているフラットケーブルとは異なり、層状に剥離してしまうことを発生しにくくすることができる。
【００１２】
本発明に係る電気的接続装置における第３の特徴は、前記フラットケーブルの前記接続用端部は、前記絶縁被覆が前記複数の導体の伸張方向に沿って引き抜かれるように剥がされることで前記導体露出部が形成されるとともに、引き抜かれるようにずらされた前記絶縁被覆が当該接続用端部において一部残されるように配置された絶縁被覆部を備えていることである。
【００１３】
この構成によると、フラットケーブルの端部側の絶縁被覆を導体の伸張方向に引き抜くようにして剥がすことで、その端部における最も先端側に絶縁被覆部が配置されてその隣に導体露出部が配置された構成の接続用端部を容易に形成することができる。このため、フラットケーブルに孔を開けるなどの加工を施さなくても、フラットケーブルの保持力を向上させるためにケーブルホルダにひっかけるための部分としてこの絶縁被覆部を活用することができる。したがって、ケーブルホルダへ引っかけるための部分を設けるために孔開け加工等の手間を要する加工を行う必要がなく、工数の増加を招いてしまうことを抑制できる。
【００１４】
本発明に係る電気的接続装置における第４の特徴は、前記ケーブルホルダの前記仮保持部は、前記ケーブル巻付部に対して回動自在に支持されている側とは反対側の先端部分において、前記接続用端部を押圧したときに前記絶縁被覆部を屈曲させるように形成されている厚肉部が設けられていることである。
【００１５】
この構成によると、仮保持部の先端部分に厚肉部を設けるという簡易な構成で、仮保持部で接続用端部を押圧するときに絶縁被覆部を屈曲させてフラットケーブルの保持力を向上させることができる。
【００１６】
本発明に係る電気的接続装置における第５の特徴は、前記ケーブルホルダの前記ケーブル巻付部には、前記仮保持部によって前記接続用端部が押圧された状態で前記絶縁被覆部と係止可能な段部が設けられていることである。
【００１７】
この構成によると、仮保持部で接続用端部を押圧するとともに、絶縁被覆部とケーブル巻付部の段部とを係止させることで、容易に、フラットケーブルの保持力を向上させることができる。
【００１８】
本発明に係る電気的接続装置における第６の特徴は、前記ケーブルホルダの前記ケーブル巻付部は、平行に配置されるように形成されている上面と下面とを備えていることである。
【００１９】
この構成によると、平行に配置される上面と下面とに沿って折り返すように導体露出部が巻き付けられることになる。このため、上面と下面に沿って平行な状態で露出した両面の導体露出部を複数の端子によってケーブル巻付部に向かって互いに向かい合う方向に挟み込むようにして押し付けることができる。これにより、各導体と各端子とをより高い接触力で確実に接触させることができる。
【００２０】
本発明に係る電気的接続装置における第７の特徴は、前記ケーブルホルダの前記ケーブル巻付部には、前記導体露出部が巻き付けられた際に当該導体露出部にて露出しているとともに平行に配置されている前記複数の導体の間にそれぞれ位置するように設けられた複数のリブが形成されていることである。
【００２１】
この構成によると、フラットケーブルの導体露出部がケーブルホルダに巻き付けられている状態では、その導体露出部にて平行に延びている各導体間にリブがそれぞれ配置されることになる。このため、導体間における絶縁状態がリブによって常に確保されることになり、導体間隔及び端子間隔のピッチが狭い場合であっても、導体と端子とが擦れたりすることで発生し易いヒゲ、バリやメッキ内部応力等により析出されるウィスカによって導体間にて短絡状態が生じてしまうという問題が発生することを抑制することができる。
【００２２】
本発明に係る電気的接続装置における第８の特徴は、前記ケーブルホルダの前記ケーブル巻付部にはその幅方向の両側において立設されている側壁部が形成され、前記ケーブルホルダの前記仮保持部と前記側壁部とにはそのうちのいずれか一方に第１凸部がその他方に第１凹部が形成され、当該仮保持部が前記接続用端部を押圧した状態において前記第１凸部と前記第１凹部とが互いに係合し合うことである。
【００２３】
この構成によると、第１凸部と第１凹部とが係合し合うことにより、ケーブル巻付部に巻き付けられて仮保持部により押圧された状態の接続用端部がさらに強固に保持されることになり、より確実なフラットケーブルの抜け止めが図られることになる。
【００２４】
本発明に係る電気的接続装置における第９の特徴は、前記嵌合用ハウジングには、前記被接続用ハウジング要素に挿入されたときに当該被接続用ハウジング要素と係止する突部が形成されている可撓性の第１弾性変形部が設けられ、前記突部が前記被接続用ハウジング要素と係止した後に更に当該嵌合用ハウジングが当該被接続用ハウジング要素に挿入されることで、前記第１弾性変形部が変形して当該突部と当該被接続用ハウジング要素との係止が解除されて当該嵌合用ハウジングと当該被接続用ハウジング要素との嵌合が完了することである。
【００２５】
この構成によると、嵌合用ハウジングを被接続用ハウジング要素に挿入したときに、まず嵌合用ハウジングの突部が被接続用ハウジング要素と係止する。そして、この状態からさらに嵌合用ハウジングを被接続用ハウジング要素に対して挿入していくことで、突部と被接続用ハウジング要素との係止が解除されたときに生じる慣性力（嵌合用ハウジングが係止解除とともに急加速されるように付勢されて挿入方向に移動する力）を利用して、嵌合用ハウジングと被接続用ハウジング要素との嵌合を完成させることができる。このため、嵌合が未完成のままの状態である半嵌合状態が発生してしまうことを防止することができる。
【００２６】
本発明に係る電気的接続装置における第１０の特徴は、前記嵌合用ハウジングは、当該嵌合用ハウジングが前記被接続用ハウジング要素に嵌合されたときに、前記導体露出部と前記複数の端子とが接触している接触領域を覆うとともに当該接触領域へと至る迂回経路を形成するように、当該被接続用ハウジング要素内に形成されている内壁に沿う迂回経路形成部分を備えていることである。
【００２７】
この構成によると、嵌合用ハウジングが被接続用ハウジング要素と嵌合した状態では、導体露出部と端子との接触領域は嵌合用ハウジングの迂回経路形成部分で覆われることになる。そして、さらに、被接続用ハウジング要素内の内壁と嵌合用ハウジングの迂回経路形成部分とによって、接触領域と外部との間に迂回経路が形成されることになる。このため、外部から接触領域まで水等の液体が浸入してしまうことを効果的に抑制することができる。
【００２８】
本発明に係る電気的接続装置における第１１の特徴は、前記被接続用ハウジング要素内の前記内壁は前記複数の端子の周囲を囲むように立設して形成されている被接続ハウジング側壁部であり、前記迂回経路形成部分は、前記嵌合用ハウジングが前記被接続用ハウジング要素に嵌合されたときに前記被接続用ハウジング側壁部の周囲を囲むように立設して形成されている嵌合ハウジング側壁部であることである。
【００２９】
この構成によると、被接続用ハウジング要素において複数の端子の周囲に設けられている内壁である被接続ハウジング側壁部の周囲に、さらに迂回経路形成部分として嵌合ハウジング側壁部を設けることで、簡易な機構で迂回経路を形成することができる。
【００３０】
本発明に係る電気的接続装置における第１２の特徴は、前記挟持部は、前記仮保持部を前記ケーブル巻付部に対して押し付ける上側挟持部分と、前記フラットケーブルが前記ケーブル巻付部に巻き付けられて引き出される側において当該ケーブル巻付部に沿って延びるように形成されている下側挟持部分と、を備え、当該上側挟持部分と当該下側挟持部分との間で折り返された状態の前記接続用端部を前記ケーブル巻付部に対して両側から押し付けるように挟持することである。
【００３１】
この構成によると、仮保持部およびケーブル巻付部を両側から挟むように配置される上側挟持部分と下側挟持部分とを設けることによって、折り返された状態の接続用端部をケーブル巻付部に両側から押し付けるように挟持する挟持部を簡易な機構で容易に形成することができる。
【００３２】
本発明に係る電気的接続装置における第１３の特徴は、前記上側部分と前記仮保持部とは、前記ケーブルホルダが前記挿入口に挿入されることで互いに当接して付勢し合うテーパ状の面として形成されているテーパ部をそれぞれ備えていることである。
【００３３】
この構成によると、上側挟持部分および仮保持部には、互いに付勢し合うテーパ部が設けられているため、ケーブルホルダを嵌合用ハウジングの挿入口に圧入するようにして挿入して挟持部によりケーブルホルダを強固に挟持させることができる。
【００３４】
本発明に係る電気的接続装置における第１４の特徴は、前記上側挟持部分は、前記挿入口の開口側に向かって片持ち状に延びるように形成されている可撓性の第２弾性変形部として設けられていることである。
【００３５】
この構成によると、上側挟持部分は可撓性の第２弾性変形部として片持ち状に延びるように形成されているため、この上側挟持部分の弾性力を利用して仮保持部を強く押し付けることができる。このため、第２弾性変形部を形成するという簡易な構成で挟持部による高い挟持力を確保することができる。
【００３６】
本発明に係る電気的接続装置における第１５の特徴は、前記下側挟持部分は、前記挿入口の開口側に向かって片持ち状に延びるように形成されている可撓性の第３弾性変形部として設けられていることである。
【００３７】
この構成によると、下側挟持部分は可動性の第３弾性変形部として片持ち状に延びるように形成されているため、この下側挟持部分の弾性力を利用してケーブル巻付部を強く押し付けることができる。このため、第３弾性変形部を形成するという簡易な構成で挟持部による高い挟持力を確保することができる。
【００３８】
本発明に係る電気的接続装置における第１６の特徴は、前記ケーブルホルダの側面と前記嵌合用ハウジングの前記挿入口とにはそのうちのいずれか一方に第２凸部がその他方に第２凹部が形成され、当該ケーブルホルダの当該挿入口への挿入が完了した位置において前記第２凸部と前記第２凹部とが互いに係合し合うことである。
【００３９】
この構成によると、第２凸部と第２凹部とが係合し合うことにより、ケーブルホルダが嵌合用ハウジングに対してさらに強固に保持されることになり、より確実なフラットケーブルの抜け止めが図られることになる。
【発明を実施するための最良の形態】
【００４０】
以下、本発明を実施するための最良の形態について図面を参照しつつ説明する。本発明は、ＦＦＣ（Flexible Flat Cable）やＦＰＣ（Flexible Printed Cable）などと一般的に呼ばれており複数の導体を有するフラットケーブルを複数の端子に電気的に接続するために用いられる。そして、本発明は、複数の端子を支持する被接続用ハウジング要素に対して接続されて、フラットケーブルをその複数の端子に電気的に接続する電気的接続装置として広く適用することができる。例えば、自動車用に用いられる各種コネクタなどとして用いることができるが、その用途に限らず、より広範な用途に対して適用でき、多くの異なる環境および各種の目的に適用することができる。
【００４１】
図１は、本発明の一実施の形態に係る電気的接続装置１をこの電気的接続装置１と接続される被接続用ハウジング要素２とともに例示した斜視図である。被接続用ハウジング要素２は略矩形の外形となるように形成されており、複数の端子３を支持している。そして、これらの複数の端子３は、被接続用ハウジング要素２の一方の側に形成されている開口部４において露出した状態で支持されている。すなわち、被接続用ハウジング要素２の他方の側に形成された支持部（図１９等参照）にて支持された複数の端子３が、開口部４内で突出して露出した状態で配置されている。
【００４２】
本実施形態の電気的接続装置１は、図１に示すようにフラットケーブル１１を保持した状態で、被接続用ハウジング要素２に対してその開口部４に嵌入されるようにして嵌合する。図２は、電気的接続装置１と被接続用ハウジング要素２とが嵌合した状態を示す斜視図である。図２に示すように嵌合状態が完成することで、電気的接続装置１と被接続用ハウジング要素２とが電気的および機械的に接続されて、フラットケーブル１１と複数の端子３とが電気的に接続されることになる。
【００４３】
図３は、電気的接続装置１と被接続用ハウジング要素２とを示す分解斜視図である。図３に示すように、電気的接続装置１は、フラットケーブル１１とケーブルホルダ１２と嵌合用ハウジング１３とを備えて構成されている。また、電気的接続装置１は、後述するように嵌合用ハウジング要素１３内に形成されている挟持部１４（図１６等参照）も備えている。なお、フラットケーブル１１を仮保持状態で保持したケーブルホルダ１２が図３中の矢印ａ方向に挿入されることで、図１に示す電気的接続装置１の状態が完成することになる。
【００４４】
図４は、フラットケーブル１１を部分的に示す図であり、フラットケーブル１１の平面図（図４（ａ））と側面図（図４（ｂ））とを示したものである。また、図５は、図４（ａ）のｂ線矢視方向から見たフラットケーブル１１の端部の正面図である。図４および図５に示すように、フラットケーブル１１は、平行に延びるように配置されている複数の導体２１とこの複数の導体２１を覆う絶縁被覆２２とを備えるフレキシブルフラットケーブルとして構成されている。なお、図４では複数の導体２１として５本の導体２１を有している場合を例示している。また、このフラットケーブル１１は、複数の導体２１と絶縁被覆２２とが一体となって押出し成形により形成された押出し型フラットケーブルとして構成されている。
【００４５】
また、フラットケーブル１１における一端側には、図４に示すように、導体露出部２４と絶縁被覆部２５とが設けられている接続用端部２３が備えられている。導体露出部２４は、被接続用ハウジング要素２において支持されている複数の端子３と接触して電気的に接続可能なように絶縁被覆２２が除去されて複数の導体２１が露出している部分として形成されている。この導体露出部２４は、絶縁被覆２２が複数の導体２１の伸張方向（図４中の矢印ｃ方向）に沿って引き抜かれるように剥がされることで形成される。また、絶縁被覆部２５は、導体露出部２４を形成するために引き抜かれるようにずらされた絶縁被覆２２が接続用端部２３において一部残されるように配置されている部分として形成されている。
【００４６】
図６は、フラットケーブル１１において導体露出部２４と絶縁被覆部２５とを有する接続用端部２３を形成する過程を説明するフラットケーブル１１の斜視図である。まず、図６（ａ）に示すように接続用端部２３がまだ形成されていない状態のフラットケーブル１１における接続用端部２３を形成しようとする箇所にて、複数の導体２１以外の絶縁被覆２２の部分に対して切り込みを入れる。その後、その切り込みを入れた部分から図６（ｂ）に示すように、導体２１の伸張方向に沿って引き抜くように絶縁被覆２２を剥がしていく。そして、引き抜いている絶縁被覆２２が所定の箇所まで移動した状態にて、図６（ｃ）に示すように、その引き抜いた絶縁被覆２２の先端側の部分であって導体２１が配置されていない部分である絶縁被覆端２２ａ（図６（ｃ）中に点線で示す部分）を切断して除去する。このようにして接続用端部２３が形成されることで、図４に示すフラットケーブル１１が形成されることになる。
【００４７】
図７は、ケーブルホルダ１２の斜視図である。この図７に示すように、ケーブルホルダ１２は、ケーブル巻付部２６と仮保持部２７とを備えて構成されている。ケーブル巻付部２６は、フラットケーブル１１の導体露出部２４が折り返されるように巻き付けられる部分を構成している。また、仮保持部２７は、ケーブル巻付部２６に対して回動自在に支持されている。そして、ケーブル巻付部２６とこの仮保持部２７との間にフラットケーブル１１の接続用端部２３が配置されている状態で仮保持部２７が回動されることで、この仮保持部２７によって接続用端部２３を押圧して保持するようになっている。
【００４８】
ここで、ケーブルホルダ１２の構成についてその作動形態とともに更に詳しく説明する。図８乃至図１４は、ケーブルホルダ１２に対してフラットケーブル１１を保持する際における作動形態を説明するための図である。図８の斜視図に示すように、ケーブルホルダ１２のケーブル巻付部２６には、仮保持部２７が回動自在に取り付けられている側である上面側において、段状に凹んだ状態となるように形成されている段部２８が設けられている。この段部２８に対して、図８中の点線矢印で示すように、フラットケーブル１１における接続用端部２３の絶縁被覆部２５が配置される。図９は、フラットケーブル１１における絶縁被覆部２５がケーブルホルダ１２におけるケーブル巻付部２６の段部２８に配置されている状態を示す斜視図である。
【００４９】
フラットケーブル１１の絶縁被覆部２５がケーブルホルダ１２の段部２８に配置されると、続いてこの状態で、図９中に点線矢印で示す方向に仮保持部２７が回動される。そして、図１０の斜視図に示すように、フラットケーブル１１の接続用端部２３がケーブルホルダ１２の仮保持部２７によって押圧されることになる。
【００５０】
また、図８および図９に示すように、ケーブルホルダ１２には、第１凸部２９、第１凹部３０、厚肉部３１、リブ３２、側壁部３３などが形成されている。側壁部３３は、ケーブル巻付部２６の幅方向両側においてそれぞれ立設された壁部として形成されている。第１凸部２９は、仮保持部２７の幅方向両側においてそれぞれ出っ張った部分として設けられている。第１凹部３０は、側壁部３３の内側（ケーブル巻付部２６に対向する側）にそれぞれ凹み形成された溝状の部分として形成されている。そして、図１０に示すように仮保持部２７が回動されてフラットケーブル１１の接続用端部２３を押圧している状態においては、一対の第１凸部２９が一対の第１凹部３０とそれぞれ係合し合うようになっている。なお、仮保持部２７側に凹部が設けられ、側壁部３３側に凸部が設けられているものであってもよい。
【００５１】
ケーブルホルダ１２のリブ３２は、ケーブル巻付部２６のケーブル巻付け方向に沿って複数条形成されている。そして、このリブ３２は、フラットケーブル１１の導体露出部２４がケーブル巻付部２６に巻き付けられた際に導体露出部２４にて露出しているとともに平行に配置されている複数の導体２１の間にそれぞれ位置するように設けられている（図１０、図１４等参照）。
【００５２】
ケーブルホルダ１２の厚肉部３１は、図９に示すように、仮保持部２７においてケーブル巻付部２６に対して回動自在に支持されている側とは反対側の先端部分に設けられている。そして、この厚肉部３１は、仮保持部２７がフラットケーブル１１の接続用端部２３を押圧したときに絶縁被覆部２５を屈曲させることができるように形成されている。図１１は、仮保持部２７を回動する前の状態（図１１（ａ））と、仮保持部２７が回動してケーブル巻付部２６との間でフラットケーブル１１の接続用端部２３を押圧した状態（図１１（ｂ））とを示した断面図である。また、図１２は、図１１（ｂ）において実線で囲んだ部分を拡大した断面図である。図１１（ａ）に示す状態から仮保持部２７を図中矢印方向に回動させて図１１（ｂ）および図１２に示すようにフラットケーブル１１の接続用端部２３が仮保持部２７に押圧された状態にすると、仮保持部２７の厚肉部３１によって接続用端部２３の絶縁被覆部２５が屈曲されることになる。
【００５３】
なお、図１２によく示すように、ケーブル巻付部２６の段部２８は、仮保持部２７によって接続用端部２３が押圧された状態で絶縁被覆部２５と係止可能なように形成されている。また、図１１によく示すように、ケーブル巻付部２６は、平行に配置されるように形成されている上面３４と下面３５とを備えている。
【００５４】
図１３は、図１０に示すケーブルホルダ１２とフラットケーブル１１とを図１０とは反対側（下面３５側）を上にして見た斜視図である。ケーブル巻付部２６における上面３５側にフラットケーブル１１の導体露出部２４が巻き付けられた状態（図１０に示す状態）から図１３中に点線矢印で示す方向にフラットケーブル１１が巻き付けられる。図１４は、ケーブル巻付部２６の下面３５側までフラットケーブル１１が巻き付けられた状態を示す斜視図である。この図１４に示す状態では、導体露出部２５が、ケーブル巻付部２６の上面３４および下面３５に沿って折り返されるように巻きつけられている。そして、導体露出部２５における各導体２１間にはリブ３２が配置されている状態になっている。
【００５５】
図１５は、嵌合用ハウジング１３の斜視図である。嵌合用ハウジング１３は、略矩形の外形となるように形成されている。そして、嵌合用ハウジング１５には、図１０に示すようにフラットケーブル１１の接続用端部２３を保持しているとともに導体露出部２５が巻き付けられている状態のケーブルホルダ１２が挿入される挿入口３６が形成されている。この嵌合用ハウジング１５は、フラットケーブル１１が巻き付けられて保持された状態のケーブルホルダ１２が挿入口３６に挿入されている状態において、被接続用ハウジング要素２と嵌合するようになっている。また、嵌合用ハウジング１３には、被接続用ハウジング要素２の開口部４に挿入されたときに被接続用ハウジング要素２と係止する突部３８が形成されている可撓性の第１弾性変形部３７が、片持ち状に設けられている。
【００５６】
図１６は、フラットケーブル１１が巻き付けられて保持された状態のケーブルホルダ１２が嵌合用ハウジング１３に対してその挿入口３６から挿入される前の状態を示す斜視断面図である。この図１６に示すように、嵌合用ハウジング１３は中空の筒状に形成されており、挿入口３６に対してフラットケーブル１１が巻き付けられた状態のケーブルホルダ１２が図中矢印で示す方向に挿入されることになる。図１７は、ケーブルホルダ１２がフラットケーブル１１とともに挿入口３６に挿入された状態を示した斜視断面図である。なお、挿入口３６内の両側面には第２凹部３９が形成されており（図１６参照）、一方、ケーブルホルダ１２の両側面には第２凸部４０が形成されている（図１４参照）。これにより、ケーブルホルダ１２の挿入口３６への挿入が完了した位置において第２凹部３９と第２凸部４０とが互いに係合し合うようになっている。
【００５７】
また、図１６および図１７に示すように、挟持部１４は、嵌合用ハウジング１３において挿入口３６内に配置されるように形成されている。そして、この挟持部１４は、フラットケーブル１１が巻き付けられたケーブルホルダ１２が挿入口３６に挿入されることで、ケーブルホルダ１２の仮保持部２７をケーブル巻付部２６に対して押し付けるとともに折り返された状態の接続用端部２３をケーブル巻付部２６に両側から押し付けるように挟持するようになっている。
【００５８】
また、図１６および図１７に示すように、挟持部１４は、上側挟持部分４２と下側挟持部分４３とを備えて構成されている。上側挟持部分４２は、ケーブルホルダ１２の仮保持部２７をケーブル巻付部２６に対して押し付けることができるように形成されている。この上側挟持部分４２は、挿入口３６の開口側に向かって片持ち状に延びるように形成されている可撓性の第２弾性変形部として設けられている。一方、下側挟持部分４２は、フラットケーブル１１がケーブルホルダ１２のケーブル巻付部２６に巻き付けられて引き出される側においてそのケーブル巻付部２６に沿って延びるように形成されている。この下側挟持部分４３も、上側挟持部分４２と同様に、挿入口３６の開口側に向かって片持ち状に延びるように形成されている可撓性の第３弾性変形部として設けられている。このように、挟持部１４は、これらの上側挟持部分４２と下側挟持部分４３との間で折り返された状態の接続用端部２３をケーブル巻付部２６に両側から押し付けるように挟持するようになっている。
【００５９】
図１８は、フラットケーブル１１が巻き付けられた状態のケーブルホルダ１２の嵌合用ハウジング１３への挿入が完了している状態を示す電気的接続装置１の断面図である。この図１８に示すように、挟持部１４の上側挟持部分４２にはテーパ状の面として形成されているテーパ部４５が設けられており、一方、ケーブルホルダ１２の仮保持部２７にもテーパ状の面として形成されているテーパ部４６が設けられている。そして、これらの上側挟持部分４２側のテーパ部４５と仮保持部２７側のテーパ部４６とは、フラットケーブル１１が巻き付けられて保持されたケーブルホルダ１２が挿入口３６に挿入されることで互いに当接して付勢し合うように配設されている。
【００６０】
なお、フラットケーブル１１は、接続用端部２３の絶縁被覆部２５が仮保持部２７で押し付けられて更にケーブル巻付部２６に巻き付けられて引き出される状態になっており、この状態で嵌合用ハウジング１３の挿入口３６にケーブルホルダ１２とともに挿入されるようになっている。このため、その挿入過程において、上側挟持部分４２に当接した仮保持部２７によって接続用端部２３の絶縁被覆部２５が押圧されながら下側挟持部分４３との間で生じる摩擦力によってフラットケーブル１１が図１８中に矢印で示す方向に引っ張られることになる。これにより、フラットケーブル１１の導体露出部２４をケーブルホルダ１２のケーブル巻付部２６に密着させた状態にすることができる。
【００６１】
図１９乃至図２１は、フラットケーブル１１が巻き付けられたケーブルホルダ１２の嵌合用ハウジング１３への挿入が完了した状態（図１８に示す状態）の電気的接続装置１を被接続用ハウジング要素２に接続する際における作動形態を説明するための図である。まず、図１９に示すように、フラットケーブル１１、ケーブルホルダ１２、及び嵌合用ハウジング１３が一体的に組み立てられた状態の電気的接続装置１が、被接続用ハウジング要素２に嵌合して接続されるためにその開口部４に対して挿入される。
【００６２】
図２０は、電気的接続装置１と被接続用ハウジング要素２との接続途中の状態を示す斜視断面図である。電気的接続装置１を被接続用ハウジング要素２の開口部４に挿入していくと、図２０に示すように、嵌合用ハウジング１３に設けられた第１弾性変形部３７の突部３８が被接続用ハウジング要素２の一部の周壁の縁部分と係止するようになっている。なお、この図２０に示す状態ではフラットケーブル１１の導体露出部２４と端子３とがまだ接触していない状態のままであるように、突部３８の設けられる位置が適宜設定されている。
【００６３】
そして、第１弾性変形部３７は嵌合用ハウジング１３における嵌合方向先端側から後端側に向かって片持ち状に延びるように設けられており、その片持ち自由端側に突部３８が形成されている。このため、突部３８が被接続用ハウジング要素２と係止した後に更に嵌合用ハウジング１３が被接続用ハウジング要素２の開口部４に挿入されることで、第１弾性変形部３７が弾性変形して突部３８と被接続用ハウジング要素２との係止が解除されることになる。突部３８と被接続用ハウジング要素２との係止が解除されると、その係止が解除されたときに生じる慣性力（嵌合用ハウジング１３が係止解除されるとともに急加速されるように付勢されて挿入方向に移動する力）によって図２１に示す状態へと移行して、嵌合用ハウジング１３と被接続用ハウジング要素２との嵌合が完了することになる。すなわち、電気的接続装置１と被接続用ハウジング要素２との機械的および電気的接続が完成することになる。この図２１に示すように電気的接続装置１と被接続用ハウジング要素２との接続が完成した状態では、ケーブルホルダ１２と嵌合用ハウジング１３とによって強固に保持されたフラットケーブル１１における導体露出部２４が、被接続用ハウジング要素２に支持された端子３と接触して電気的な接続が成立していることになる。なお、電気的接続装置１と被接続用ハウジング要素２との接続が完成した状態では、第１弾性変形部３７の突部３８が被接続用ハウジング要素２の内周において凸状に形成された係合部４７と係合するようになっており、これによって、ロック機構が成立して電気的接続装置１の抜け止めが図られるようになっている。
【００６４】
また、図１９乃至図２１に示すように、被接続用ハウジング要素２内には被接続ハウジング側壁部４８が形成されており、この被接続ハウジング側壁部４８は被接続用ハウジング要素２に支持された複数の端子３の周囲を囲むように立設して形成されている内壁を形成している。そして、嵌合用ハウジング１３には、この嵌合用ハウジング１３が被接続用ハウジング要素２に嵌合されたときに被接続ハウジング側壁部４８の周囲を囲むように立設して形成されている嵌合ハウジング側壁部４９が形成されている。この嵌合ハウジング側壁部４９は、図２１によく示すように、嵌合用ハウジング１３が被接続用ハウジング要素２に嵌合されたときに、フラットケーブル１１の導体露出部２４と複数の端子３とが接触している接触領域を覆うことができるように構成されている。そして更に、嵌合ハウジング側壁部４９は、上記接触領域を覆うとともに外部からこの接触領域へと至るまでの迂回経路を形成するように、被接続用ハウジング要素２の内壁である被接続用ハウジング側壁部４８に沿う迂回経路形成部分を構成している。
【００６５】
以上、本実施形態に係る電気的接続装置１についての構成および作動について説明したが、この電気的接続装置１によると、フラットケーブル１１の導体露出部２４がケーブルホルダ１２のケーブル巻付部２６に巻き付けられて、更に仮保持部２７によって接続用端部２３が押圧して保持される。この状態でフラットケーブル１１とともにケーブルホルダ１２が嵌合用ハウジング１３の挿入口３６に挿入され、挿入口３６内に形成された挟持部１４によって仮保持部２７がケーブル巻付部２６に押し付けられるとともに接続用端部２３もケーブル巻付部２６に両側から押し付けられるように挟持されることになる。そして、この電気的接続装置１と被接続用ハウジング要素２とが接続されて、フラットケーブル１１と複数の端子３との電気的な接続が完成することになる。
【００６６】
したがって、この電気的接続装置１によると、ケーブルホルダ１１が嵌合用ハウジング１３に挿入されることで、ケーブル巻付部２６に巻き付けられて仮保持部２７で押圧されたフラットケーブル１１が、挟持部１４によって強固に保持されることになる。そして、導体露出部２４はケーブル巻付部２６に対して折り返されるように巻き付けられているため、露出した両面の導体露出部２４を複数の端子３によってケーブル巻付部２６に向かって挟み込むようにして、各導体２１と各端子３とを高い接触力で接触させることができる。したがって、振動や外力の作用し易い環境で使用される場合においてもフラットケーブル１１の抜け止めを図って確実に保持状態を維持することができ、フラットケーブル１１と端子３との十分な接触力を確保することができる。
【００６７】
また、電気的接続装置１によると、フラットケーブル１１として押出し型フラットケーブルを用いることで、ラミネートタイプの場合のように層状に積層されて形成されているフラットケーブルとは異なり、層状に剥離してしまうことを発生しにくくすることができる。
【００６８】
また、電気的接続装置１によると、フラットケーブル１１の端部側の絶縁被覆２２を導体２１の伸張方向に引き抜くようにして剥がすことで、その端部における最も先端側に絶縁被覆部２５が配置されてその隣に導体露出部２４が配置された構成の接続用端部２３を容易に形成することができる。このため、フラットケーブル１１に孔を開けるなどの加工を施さなくても、フラットケーブル１１の保持力を向上させるためにケーブルホルダ１２にひっかけるための部分としてこの絶縁被覆部２５を活用することができる。したがって、ケーブルホルダ１２へ引っかけるための部分を設けるために孔開け加工等の手間を要する加工を行う必要がなく、工数の増加を招いてしまうことを抑制できる。
【００６９】
また、電気的接続装置１によると、仮保持部２７の先端部分に厚肉部３１を設けるという簡易な構成で、仮保持部２７で接続用端部２３を押圧するときに絶縁被覆部２５を屈曲させてフラットケーブル１１の保持力を向上させることができる。
【００７０】
また、電気的接続装置１によると、仮保持部２７で接続用端部２３を押圧するとともに、絶縁被覆部２５とケーブル巻付部２６の段部２８とを係止させることで、容易に、フラットケーブル１１の保持力を向上させることができる。
【００７１】
また、電気的接続装置１によると、ケーブル巻付部２６にて平行に配置される上面３４と下面３５とに沿って折り返すように導体露出部２４が巻き付けられることになる。このため、上面３４と下面３５に沿って平行な状態で露出した両面の導体露出部２４を複数の端子３によってケーブル巻付部２６に向かって互いに向かい合う方向に挟み込むようにして押し付けることができる。これにより、各導体２１と各端子３とをより高い接触力で確実に接触させることができる。
【００７２】
また、電気的接続装置１によると、フラットケーブル１１の導体露出部２４がケーブルホルダ１２に巻き付けられている状態では、その導体露出部２４にて平行に延びている各導体２１間にリブ３２がそれぞれ配置されることになる。このため、導体２１間における絶縁状態がリブ３２によって常に確保されることになり、導体間隔及び端子間隔のピッチが狭い場合であっても、導体２１と端子３とが擦れたりすることで発生し易いウィスカによって導体２１間にて短絡状態が生じてしまうという問題が発生することを抑制することができる。
【００７３】
また、電気的接続装置１によると、第１凸部２９と第１凹部３０とが係合し合うことにより、ケーブル巻付部２６に巻き付けられて仮保持部２７により押圧された状態の接続用端部２３がさらに強固に保持されることになり、より確実なフラットケーブル１１の抜け止めが図られることになる。
【００７４】
また、電気的接続装置１によると、嵌合用ハウジング１３を被接続用ハウジング要素２に挿入したときに、まず嵌合用ハウジング１３における第１弾性変形部３７の突部３８が被接続用ハウジング要素２と係止する。そして、この状態からさらに嵌合用ハウジング１３を被接続用ハウジング要素２に対して挿入していくことで、突部３８と被接続用ハウジング要素２との係止が解除されたときに生じる慣性力（前述のように、嵌合用ハウジング１３が係止解除とともに急加速されるように付勢されて挿入方向に移動する力）を利用して、嵌合用ハウジング１３と被接続用ハウジング要素２との嵌合を完成させることができる。このため、嵌合が未完成のままの状態である半嵌合状態が発生してしまうことを防止することができる。
【００７５】
また、電気的接続装置１によると、嵌合用ハウジング１３が被接続用ハウジング要素２と嵌合した状態では、フラットケーブル１１の導体露出部２４と端子３との接触領域は嵌合用ハウジング１３の迂回経路形成部分である嵌合ハウジング側壁部４９で覆われることになる。そして、さらに、被接続用ハウジング要素２内の内壁である被接続ハウジング側壁部４８と嵌合用ハウジング１３の嵌合ハウジング側壁部４９とによって、接触領域と外部との間に迂回経路が形成されることになる。このため、外部から接触領域まで水等の液体が浸入してしまうことを効果的に抑制することができる。また、被接続用ハウジング要素２において複数の端子３の周囲に設けられている内壁である被接続ハウジング側壁部４８の周囲に、さらに迂回経路形成部分として嵌合ハウジング側壁部４９を設けることで、簡易な機構で迂回経路を形成することができる。
【００７６】
また、電気的接続装置１によると、仮保持部２７およびケーブル巻付部２６を両側から挟むように配置される上側挟持部分４２と下側挟持部分４３とを設けることによって、折り返された状態の接続用端部２３をケーブル巻付部２６に両側から押し付けるように挟持する挟持部１４を簡易な機構で容易に形成することができる。
【００７７】
また、電気的接続装置１によると、上側挟持部分４２および仮保持部２７には、互いに付勢し合うテーパ部４５・４６が設けられているため、ケーブルホルダ１２を嵌合用ハウジング１３の挿入口３６に圧入するようにして挿入して挟持部１４によりケーブルホルダ１２を強固に挟持させることができる。
【００７８】
また、電気的接続装置１によると、上側挟持部分４２は可撓性の第２弾性変形部として片持ち状に延びるように形成されているため、この上側挟持部分４２の弾性力を利用して仮保持部２７を強く押し付けることができる。このため、第２弾性変形部を形成するという簡易な構成で挟持部１４による高い挟持力を確保することができる。
【００７９】
また、電気的接続装置１によると、下側挟持部分４３は可動性の第３弾性変形部として片持ち状に延びるように形成されているため、この下側挟持部分４３の弾性力を利用してケーブル巻付部２６を強く押し付けることができる。このため、第３弾性変形部を形成するという簡易な構成で挟持部１４による高い挟持力を確保することができる。
【００８０】
また、電気的接続装置１によると、第２凸部４０と第２凹部３９とが係合し合うことにより、ケーブルホルダ１２が嵌合用ハウジング１３に対してさらに強固に保持されることになり、より確実なフラットケーブル１１の抜け止めが図られることになる。
【００８１】
以上、本発明の実施形態について説明したが、本発明は上述の実施の形態に限られるものではなく、特許請求の範囲に記載した限りにおいて様々な変更が可能なものである。例えば、次のように変更して実施してもよい。
【００８２】
（１）フラットケーブルは押出し型フラットケーブルでなくても本発明を適用することができる。また、フラットケーブルにおける導体露出部の形態についても本実施形態の通りでなくても本発明を適用することができる。
【００８３】
（２）ケーブルホルダ、嵌合用ハウジング、および挟持部の全体形状や、それらに設けられているケーブル巻付部、仮保持部、挿入口、第１弾性変形部、迂回経路形成部分、上側挟持部分、下側挟持部分などの位置や形状については、本実施形態にて例示したものに限らず、特許請求の範囲に記載した限りにおいて広く変更して実施してもよい。
【産業上の利用可能性】
【００８４】
本発明の電気的接続装置は、ＦＦＣ（Flexible Flat Cable）やＦＰＣ（Flexible Printed Cable）などと一般的に呼ばれており複数の導体を有するフラットケーブルを複数の端子に電気的に接続するために用いられる。そして、本発明の電気的接続装置は、複数の端子を支持する被接続用ハウジング要素に対して接続されて、フラットケーブルをその複数の端子に電気的に接続する電気的接続装置として広く適用することができる。例えば、自動車用に用いられる各種コネクタなどとして用いることができるが、その用途に限らず、より広範な用途に対して適用でき、多くの異なる環境および各種の目的に適用することができる。
【図面の簡単な説明】
【００８５】
【図１】本発明の一実施の形態に係る電気的接続装置をこの電気的接続装置と接続される被接続用ハウジング要素とともに例示した斜視図である。
【図２】図１に示す電気的接続装置と被接続用ハウジング要素とが接続された状態を示した斜視図である。
【図３】図１に示す電気的接続装置および被接続用ハウジング要素の分解斜視図である。
【図４】図３に示すフラットケーブルを部分的に示す図であり、フラットケーブルの平面図（図４（ａ））と側面図（図４（ｂ））とを示したものである。
【図５】図４（ａ）のｂ線矢視方向から見たフラットケーブルの端部の正面図である。
【図６】図４に示すフラットケーブルにおける接続用端部を形成する過程を説明するフラットケーブルの斜視図である。
【図７】図３に示すケーブルホルダの斜視図である。
【図８】ケーブルホルダに対してフラットケーブルを保持する際における作動形態を説明するための斜視図である。
【図９】ケーブルホルダに対してフラットケーブルを保持する際における作動形態を説明するための斜視図である。
【図１０】ケーブルホルダに対してフラットケーブルを保持する際における作動形態を説明するための斜視図である。
【図１１】ケーブルホルダに対してフラットケーブルを保持する際における作動形態を説明するための断面図である。
【図１２】ケーブルホルダに対してフラットケーブルを保持する際における作動形態を説明するための部分的な拡大断面図である。
【図１３】ケーブルホルダに対してフラットケーブルを保持する際における作動形態を説明するための斜視図である。
【図１４】ケーブルホルダに対してフラットケーブルを保持する際における作動形態を説明するための斜視図である。
【図１５】図３に示す嵌合用ハウジングの斜視図である。
【図１６】フラットケーブルが巻き付けられて保持された状態のケーブルホルダが嵌合用ハウジングに対してその挿入口から挿入される前の状態を示した斜視断面図である。
【図１７】ケーブルホルダがフラットケーブルとともに挿入口に挿入された状態を示した斜視断面図である。
【図１８】フラットケーブルが巻き付けられた状態のケーブルホルダの嵌合用ハウジングへの挿入が完了している状態を示す電気的接続装置の断面図である。
【図１９】フラットケーブルが巻き付けられたケーブルホルダの嵌合用ハウジングへの挿入が完了した状態の電気的接続装置が被接続用ハウジング要素に対して接続される前の状態を示した斜視断面図である。
【図２０】図１９に示す電気的接続装置と被接続用ハウジング要素との接続途中の状態を示した斜視断面図である。
【図２１】図１９に示す電気的接続装置と被接続用ハウジング要素との接続が完了した状態を示す斜視断面図である。
【符号の説明】
【００８６】
１    電気的接続装置
２    被接続用ハウジング要素
３    端子
１１  フラットケーブル
１２  ケーブルホルダ
１３  嵌合用ハウジング
１４  挟持部
２１  導体
２２  絶縁被覆
２３  接続用端部
２４  導体露出部
２５  絶縁被覆部
２６  ケーブル巻付部
２７  仮保持部
３６  挿入口
【図１】
2007004987.tif 000003
【図２】
2007004987.tif 000004
【図３】
2007004987.tif 000005
【図４】
2007004987.tif 000006
【図５】
2007004987.tif 000007
【図６】
2007004987.tif 000008
【図７】
2007004987.tif 000009
【図８】
2007004987.tif 000010
【図９】
2007004987.tif 000011
【図１０】
2007004987.tif 000012
【図１１】
2007004987.tif 000013
【図１２】
2007004987.tif 000014
【図１３】
2007004987.tif 000015
【図１４】
2007004987.tif 000016
【図１５】
2007004987.tif 000017
【図１６】
2007004987.tif 000018
【図１７】
2007004987.tif 000019
【図１８】
2007004987.tif 000020
【図１９】
2007004987.tif 000021
【図２０】
2007004987.tif 000022
【図２１】
2007004987.tif 000023